(57)【要約】      （修正有）【課題】構成が簡易化された発光制御駆動部を提供する。【解決手段】発光制御駆動部の各々のステージは、第１電圧ＶＧＬ、第１サブ制御信号、及び第２サブ制御信号に応答して第１信号ＣＳ１及び第２信号ＣＳ２を生成する第１信号処理部１５１、第１電圧ＶＧＬより高いレベルを有する第２電圧ＶＧＨ、第３サブ制御信号、第１信号、及び第２信号に応答して第３信号ＣＳ３及び第４信号ＣＳ４を生成する第２信号処理部１５２、及び第１電圧ＶＨＬ、第２電圧ＶＧＨ、第３信号ＣＳ３、及び第４信号ＣＳ４に応答して発光制御信号を生成する第３信号処理部１５３を含み、第１信号処理部１５１は前段のステージから出力される発光制御信号を第１サブ制御信号として受信し、第１番目ステージの第１信号処理部は第１サブ制御信号を開始信号ＦＬＭとして受信する。【選択図】図４
2014041337.tif 000002
【特許請求の範囲】
【請求項１】
発光制御ラインを通じて順次的に発光制御信号を出力する複数のステージを含み、
前記各々のステージは、
第１電圧を受信し、第１サブ制御信号、及び第２サブ制御信号に応答して第１信号及び第２信号を生成する第１信号処理部と、
前記第１電圧より低いレベルを有する第２電圧を受信し、第３サブ制御信号、前記第１信号、及び前記第２信号に応答して第３信号及び第４信号を生成する第２信号処理部と、
前記第１電圧及び前記第２電圧を受信し、前記第３信号及び前記第４信号に応答して前記発光制御信号を生成する第３信号処理部と、を含み、
前記各々のステージの前記第１信号処理部は前段のステージから出力される前記発光制御信号を前記第１サブ制御信号として受信し、第１番目ステージの前記第１信号処理部は前記第１サブ制御信号を開始信号として受信する発光制御駆動部。
【請求項２】
奇数番目ステージの各々の前記第１信号処理部は前記第２サブ制御信号として第１クロック信号を受信し、前記第２信号処理部は前記第３サブ制御信号として第２クロック信号を受信し、
偶数番目ステージの各々の前記第１信号処理部は前記第２サブ制御信号として前記第２クロック信号を受信し、前記第２信号処理部は前記第３サブ制御信号として前記第１クロック信号を受信する請求項１に記載の発光制御駆動部。
【請求項３】
前記第１及び前記第２クロック信号は同一の周波数を有し、前記第２クロック信号は前記第１クロック信号の周期の半周期区間として定義される第１区間、前記第１クロック信号がシフトされた信号である請求項２に記載の発光制御駆動部。
【請求項４】
前記開始信号の活性化レベル区間は前記第１区間の４倍の時間を有する区間として定義される第２区間に設定され、前記開始信号は前記第１クロック信号が第１レベルから前記第１レベルより低いレベルを有する第２レベルに遷移される始点で活性化される請求項３に記載の発光制御駆動部。
【請求項５】
前記発光制御信号は各々前記第１区間の３倍の時間として定義される第３区間の間に前記第２電圧レベルを有し、前記発光制御信号は順次的に前記第１区間、シフトされて出力される請求項３または４に記載の発光制御駆動部。
【請求項６】
前記第１信号処理部は第１乃至第３トランジスターを含み、
前記第１トランジスターのゲート端子は前記第２サブ制御信号を受信し、ソース端子は前記第１サブ制御信号を受信し、
前記第２トランジスターのゲート端子は前記第１トランジスターのドレーン端子に連結され、ドレーン端子は前記第２サブ制御信号を受信し、
前記第３トランジスターのゲート端子は前記第２サブ制御信号を受信し、ソース端子は前記第２トランジスターのソース端子に連結され、ドレーン端子は前記第１電圧を受信し、
前記第１信号は互いに連結された前記第２及び前記第３トランジスターの前記ソース端子を通じて出力され、前記第２信号は前記第１トランジスターの前記ドレーン端子を通じて出力される請求項１乃至５のいずれか一項に記載の発光制御駆動部。
【請求項７】
前記第２信号処理部は第４乃至第７トランジスターと第１及び第２キャパシターを含み、
前記第４トランジスターのゲート端子は前記第３サブ制御信号を受信し、ドレーン端子は第１ノード及び前記第１トランジスターの前記ドレーン端子に連結され、
前記第１キャパシターの第１電極は前記第３サブ制御信号を受信し、第２電極は前記第４トランジスターの前記ドレーン端子に連結され、
前記第５トランジスターのゲート端子は前記第３トランジスターの前記ソース端子及び第２ノードに連結され、ソース端子は前記第２電圧を受信し、ドレーン端子は前記第４トランジスターのソース端子に連結され、
前記第６トランジスターのゲート端子は前記第２ノードに連結され、ドレーン端子は前記第３サブ制御信号を受信し、
前記第２キャパシターの第１電極は前記第６トランジスターの前記ゲート端子に連結され、第２電極は前記第６トランジスターのソース端子に連結され、
前記第７トランジスターのゲート端子は前記第３サブ制御信号を受信し、ソース端子は第３ノードに連結され、ドレーン端子は前記第６トランジスターの前記ソース端子に連結され、
前記第３信号は前記第３ノードへ提供され、前記第４信号は前記第１ノードへ提供される請求項６に記載の発光制御駆動部。
【請求項８】
前記第３信号処理部は第８乃至第１０トランジスター及び第３キャパシターを含み、
前記第８トランジスターのゲート端子は前記第１ノードに連結され、ソース端子は前記第２電圧を受信し、ドレーン端子は前記第３ノードに連結され、
前記第３キャパシターの第１電極は前記第２電圧を受信し、第２電極は前記第３ノードに連結され、
前記第９トランジスターのゲート端子は前記第３ノードに連結され、ソース端子は前記第２電圧を受信し、ドレーン端子は対応する発光制御ラインに連結され、
前記第１０トランジスターのゲート端子は前記第１ノードに連結され、前記ソース端子は前記対応する発光制御ラインに連結され、ドレーン端子は前記第１電圧を受信し、
前記第９トランジスターの前記ドレーン端子及び前記第１０トランジスターの前記ソース端子は次のステージの第１信号処理部の第１トランジスターのソース端子に連結される請求項７に記載の発光制御駆動部。
【請求項９】
対応する走査ライン、対応するデータライン、及び対応する発光制御ラインに連結された複数の画素を含む表示パネルと、
前記走査ラインを通じて走査信号を前記画素へ順次的に提供する走査駆動部と、
前記データラインを通じてデータ電圧を前記画素へ提供するデータ駆動部と、
前記発光制御ラインを通じて順次的に発光制御信号を前記画素へ提供する複数のステージを含む発光制御駆動部と、を含み、
前記各々のステージは、
第１電圧を受信し、第１サブ制御信号及び第２サブ制御信号に応答して第１信号及び第２信号を生成する第１信号処理部と、
前記第１電圧より低いレベルを有する第２電圧を受信し、第３サブ制御信号、前記第１信号、及び前記第２信号に応答して第３信号及び第４信号を生成する第２信号処理部と、
前記第１電圧及び前記第２電圧を受信し、前記第３信号及び前記第４信号に応答して前記発光制御信号を生成する第３信号処理部と、を含み、
前記各々のステージの前記第１信号処理部は前段のステージから出力される前記発光制御信号を前記第１サブ制御信号として受信し、第１番目ステージの前記第１信号処理部は前記第１サブ制御信号を開始信号として受信する有機発光表示装置。
【請求項１０】
奇数番目ステージの各々の前記第１信号処理部は前記第２サブ制御信号として第１クロック信号を受信し、前記第２信号処理部は前記第３サブ制御信号として第２クロック信号を受信し、
偶数番目ステージの各々の前記第１信号処理部は前記第２サブ制御信号として前記第２クロック信号を受信し、前記第２信号処理部は前記第３サブ制御信号として前記第１クロック信号を受信する請求項９に記載の有機発光表示装置。
【請求項１１】
前記第１及び前記第２クロック信号は同一の周波数を有し、前記第２クロック信号は前記第１クロック信号の周期の半周期区間として定義される第１区間、前記第１クロック信号がシフトされた信号であり、
前記開始信号は第１クロック信号が第１レベルから前記第１レベルより低いレベルを有する第２レベルに遷移される始点で活性化され、前記開始信号の活性化区間は前記第１区間の４倍の時間を有する第２区間に設定される請求項１０に記載の有機発光表示装置。
【請求項１２】
前記第１信号処理部は第１乃至第３トランジスターを含み、
前記第１トランジスターのゲート端子は前記第２サブ制御信号を受信し、ソース端子は前記第１サブ制御信号を受信し、
前記第２トランジスターのゲート端子は前記第１トランジスターのドレーン端子に連結され、ドレーン端子は前記第２サブ制御信号を受信し、
前記第３トランジスターのゲート端子は前記第２サブ制御信号を受信し、ソース端子は前記第２トランジスターのソース端子に連結され、ドレーン端子は前記第１電圧を受信し、
前記第１信号は互いに連結された前記第２及び第３トランジスターの前記ソース端子を通じて出力され、前記第２信号は前記第１トランジスターの前記ドレーン端子を通じて出力される請求項１１に記載の有機発光表示装置。
【請求項１３】
前記第２信号処理部は第４乃至第７トランジスターと第１及び第２キャパシターを含み、
前記第４トランジスターのゲート端子は前記第３サブ制御信号を受信し、ドレーン端子は第１ノード及び前記第１トランジスターの前記ドレーン端子に連結され、
前記第１キャパシターの第１電極は前記第３サブ制御信号を受信し、第２電極は前記第４トランジスターの前記ドレーン端子に連結され、
前記第５トランジスターのゲート端子は前記第３トランジスターの前記ソース端子及び第２ノードに連結され、ソース端子は前記第２電圧を受信し、ドレーン端子は前記第４トランジスターのソース端子に連結され、
前記第６トランジスターのゲート端子は前記第２ノードに連結され、ドレーン端子は前記第３サブ制御信号を受信し、
前記第２キャパシターの第１電極は前記第６トランジスターの前記ゲート端子に連結され、第２電極は前記第６トランジスターのソース端子に連結され、
前記第７トランジスターのゲート端子は前記第３サブ制御信号を受信し、ソース端子は第３ノードに連結され、ドレーン端子は前記第６トランジスターの前記ソース端子に連結され、
前記第３信号は前記第３ノードへ提供され、前記第４信号は前記第１ノードへ提供される請求項１２に記載の有機発光表示装置。
【請求項１４】
前記第３信号処理部は第８乃至第１０トランジスター及び第３キャパシターを含み、
前記第８トランジスターのゲート端子は前記第１ノードに連結され、ソース端子は前記第２電圧を受信し、ドレーン端子は前記第３ノードに連結され、
前記第３キャパシターの第１電極は前記第２電圧を受信し、第２電極は前記第３ノードに連結され、
前記第９トランジスターのゲート端子は前記第３ノードに連結され、ソース端子は前記第２電圧を受信し、ドレーン端子は対応する発光制御ラインに連結され、
前記第１０トランジスターのゲート端子は前記第１ノードに連結され、前記ソース端子は前記対応する発光制御ラインに連結され、ドレーン端子は前記第１電圧を受信し、
前記第９トランジスターの前記ドレーン端子及び前記第１０トランジスターの前記ソース端子は次のステージの第１信号処理部の第１トランジスターのソース端子に連結される請求項１３に記載の有機発光表示装置。
【請求項１５】
発光制御ラインを通じて順次的に発光制御信号を出力する複数のステージを含み、
前記各々のステージは、
第１方向制御信号及び第２方向制御信号に応答して第１入力信号及び第２入力信号の中でいずれか１つを第１サブ制御信号として出力する両方向駆動部と、
第１電圧を受信し、前記第１サブ制御信号、及び第２サブ制御信号に応答して第１信号及び第２信号を生成する第１信号処理部と、
前記第１電圧より低いレベルを有する第２電圧を受信し、第３サブ制御信号、前記第１信号、及び前記第２信号に応答して第３信号及び第４信号を生成する第２信号処理部と、
前記第１電圧及び前記第２電圧を受信し、前記第３信号及び前記第４信号に応答して前記発光制御信号を生成する第３信号処理部と、を含み、
前記各々の両方向駆動部は前段のステージから出力される前記発光制御信号を前記第１入力信号として受信し、次段のステージから出力される前記発光制御信号を前記第２入力信号として受信し、第１番目ステージの前記両方向駆動部は前記第１入力信号として開始信号を受信し、最後のステージの前記両方向駆動部は前記第２入力信号として前記開始信号を受信する発光制御駆動部。
【請求項１６】
前記各々の両方向駆動部は活性化された前記第１方向制御信号に応答して前記第１入力信号を前記第１信号処理部へ提供し、活性化された前記第２方向制御信号に応答して前記第２入力信号を前記第１信号処理部へ提供する請求項１５に記載の発光制御駆動部。
【請求項１７】
奇数番目ステージの各々の前記第１信号処理部は前記第２サブ制御信号として第１クロック信号を受信し、前記第２信号処理部は前記第３サブ制御信号として第２クロック信号を受信し、
偶数番目ステージの各々の前記第１信号処理部は前記第２サブ制御信号として前記第２クロック信号を受信し、前記第２信号処理部は前記第３サブ制御信号として前記第１クロック信号を受信する請求項１５または１６に記載の発光制御駆動部。
【請求項１８】
前記第１及び前記第２クロック信号は同一の周波数を有し、前記第２クロック信号は前記第１クロック信号の周期の半周期区間として定義される第１区間、前記第１クロック信号がシフトされた信号であり、
前記開始信号の活性化レベル区間は前記第１区間の４倍の時間を有する区間として定義される第２区間に設定され、前記開始信号は前記第１クロック信号が第１レベルから前記第１レベルより低いレベルを有する第２レベルに遷移される始点で活性化される請求項１７に記載の発光制御駆動部。
【請求項１９】
前記第１信号処理部は第１乃至第３トランジスターを含み、
前記第１トランジスターのゲート端子は前記第２サブ制御信号を受信し、ソース端子は前記第１サブ制御信号を受信し、
前記第２トランジスターのゲート端子は前記第１トランジスターのドレーン端子に連結され、ドレーン端子は前記第２サブ制御信号を受信し、
前記第３トランジスターのゲート端子は前記第２サブ制御信号を受信し、ソース端子は前記第２トランジスターのソース端子に連結され、ドレーン端子は前記第１電圧を受信し、
前記第１信号は互いに連結された前記第２及び前記第３トランジスターの前記ソース端子を通じて出力され、前記第２信号は前記第１トランジスターの前記ドレーン端子を通じて出力される請求項１７または１８に記載の発光制御駆動部。
【請求項２０】
前記第２信号処理部は第４乃至第７トランジスターと第１及び第２キャパシターを含み、
前記第４トランジスターのゲート端子は前記第３サブ制御信号を受信し、ドレーン端子は第１ノード及び前記第１トランジスターの前記ドレーン端子に連結され、
前記第１キャパシターの第１電極は前記第３サブ制御信号を受信し、第２電極は前記第４トランジスターの前記ドレーン端子に連結され、
前記第５トランジスターのゲート端子は前記第３トランジスターの前記ソース端子及び第２ノードに連結され、ソース端子は前記第２電圧を受信し、ドレーン端子は前記第４トランジスターのソース端子に連結され、
前記第６トランジスターのゲート端子は前記第２ノードに連結され、ドレーン端子は前記第３サブ制御信号を受信し、
前記第２キャパシターの第１電極は前記第６トランジスターの前記ゲート端子に連結され、第２電極は前記第６トランジスターのソース端子に連結され、
前記第７トランジスターのゲート端子は前記第３サブ制御信号を受信し、ソース端子は第３ノードに連結され、ドレーン端子は前記第６トランジスターの前記ソース端子に連結され、
前記第３信号は前記第３ノードへ提供され、前記第４信号は前記第１ノードへ提供される請求項１９に記載の発光制御駆動部。
【請求項２１】
前記第３信号処理部は第８乃至第１０トランジスター及び第３キャパシターを含み、
前記第８トランジスターのゲート端子は前記第１ノードに連結され、ソース端子は前記第２電圧を受信し、ドレーン端子は前記第３ノードに連結され、
前記第３キャパシターの第１電極は前記第２電圧を受信し、第２電極は前記第３ノードに連結され、
前記第９トランジスターのゲート端子は前記第３ノードに連結され、ソース端子は前記第２電圧を受信し、ドレーン端子は対応する発光制御ラインに連結され、
前記第１０トランジスターのゲート端子は前記第１ノードに連結され、前記ソース端子は前記対応する発光制御ラインに連結され、ドレーン端子は前記第１電圧を受信し、
前記第９トランジスターの前記ドレーン端子及び前記第１０トランジスターの前記ソース端子は次のステージの第１信号処理部の第１トランジスターのソース端子に連結される請求項２０に記載の発光制御駆動部。
【請求項２２】
前記各々の両方向駆動部は第１１トランジスター及び第１２トランジスターを含み、
前記第１１トランジスターのゲート端子は前記第１方向制御信号を受信し、ソース端子は前記第１入力信号を受信し、
前記第１２トランジスターのゲート端子は前記第２方向制御信号を受信し、ソース端子は前記第２入力信号を受信し、ドレーン端子は前記第１１トランジスターのドレーン端子に連結され、
前記第１１及び前記第１２トランジスターのドレーン端子を通じて前記第１信号処理部へ前記第１サブ制御信号が出力される請求項１６に記載の発光制御駆動部。
【請求項２３】
発光制御ラインを通じて順次的に発光制御信号を出力する複数のステージを含み、
前記各々のステージは、
第１方向制御信号及び第２方向制御信号に応答して第１入力信号及び第２入力信号の中でいずれか１つを第１サブ制御信号として出力する両方向駆動部と、
第１電圧を受信し、前記第１サブ制御信号、及び第２サブ制御信号に応答して第１信号及び第２信号を生成する第１信号処理部と、
前記第１電圧より低いレベルを有する第２電圧を受信し、第３サブ制御信号、前記第１信号、及び前記第２信号に応答して第３信号、第４信号、及びキャリー信号を生成する第２信号処理部と、
前記第１電圧及び前記第２電圧を受信し、前記第３信号及び前記第４信号に応答して前記発光制御信号を生成する第３信号処理部と、を含み、
前記各々の両方向駆動部は前段のステージから出力される前記キャリー信号を前記第１入力信号として受信し、次段のステージから出力される前記キャリー信号を前記第２入力信号として受信し、第１番目ステージの前記両方向駆動部は前記第１入力信号として開始信号を受信し、最後のステージの前記両方向駆動部は前記第２入力信号として前記開始信号を受信する発光制御駆動部。
【請求項２４】
前記各々の両方向駆動部は活性化された前記第１方向制御信号に応答して前記第１入力信号を前記第１信号処理部へ提供し、活性化された前記第２方向制御信号に応答して前記第２入力信号を前記第１信号処理部へ提供する請求項２３に記載の発光制御駆動部。
【請求項２５】
奇数番目ステージの各々の前記第１信号処理部は前記第２サブ制御信号として第１クロック信号を受信し、前記第２信号処理部は前記第３サブ制御信号として第２クロック信号を受信し、
偶数番目ステージの各々の前記第１信号処理部は前記第２サブ制御信号として前記第２クロック信号を受信し、前記第２信号処理部は前記第３サブ制御信号として前記第１クロック信号を受信する請求項２３または２４に記載の有機発光表示装置。
【請求項２６】
前記第１及び前記第２クロック信号は同一の周波数を有し、前記第２クロック信号は前記第１クロック信号の周期の半周期区間として定義される第１区間、前記第１クロック信号がシフトされた信号であり、
前記開始信号の活性化レベル区間は前記第１区間の４倍の時間を有する区間として定義される第２区間に設定され、前記開始信号は前記第１クロック信号が第１レベルから前記第１レベルより低いレベルを有する第２レベルに遷移される始点で活性化される請求項２３乃至２５の何れか一項に記載の有機発光表示装置。
【請求項２７】
前記第１信号処理部は第１乃至第３トランジスターを含み、
前記第１トランジスターのゲート端子は前記第２サブ制御信号を受信し、ソース端子は前記第１サブ制御信号を受信し、
前記第２トランジスターの前記ゲート端子は前記第１トランジスターのドレーン端子に連結され、ドレーン端子は前記第２サブ制御信号を受信し、
前記第３トランジスターのゲート端子は前記第２サブ制御信号を受信し、ソース端子は前記第２トランジスターのソース端子に連結され、ドレーン端子は前記第１電圧を受信し、
前記第１信号は互いに連結された前記第２及び前記第３トランジスターの前記ソース端子を通じて出力され、前記第２信号は前記第１トランジスターの前記ドレーン端子を通じて出力される請求項２５または２６に記載の有機発光表示装置。
【請求項２８】
前記第２信号処理部は第４乃至第７トランジスター、第１及び第２キャパシター、及び第１３及び第１４トランジスターを含み、
前記第４トランジスターのゲート端子は前記第３サブ制御信号を受信し、ドレーン端子は第１ノード及び前記第１トランジスターの前記ドレーン端子に連結され、
前記第１キャパシターの第１電極は第４ノードに連結され、第２電極は前記第４トランジスターの前記ドレーン端子に連結され、
前記第５トランジスターのゲート端子は前記第３トランジスターの前記ソース端子及び第２ノードに連結され、ソース端子は前記第２電圧を受信し、ドレーン端子は前記第４トランジスターのソース端子に連結され、
前記第６トランジスターのゲート端子は前記第２ノードに連結され、ドレーン端子は前記第３サブ制御信号を受信し、
前記第２キャパシターの第１電極は前記第６トランジスターの前記ゲート端子に連結され、第２電極は前記第６トランジスターのソース端子に連結され、
前記第７トランジスターのゲート端子は前記第３サブ制御信号を受信し、ソース端子は第３ノードに連結され、ドレーン端子は前記第６トランジスターの前記ソース端子に連結され、
前記第１３トランジスターのゲート端子は前記第２ノードに連結され、ソース端子は前記第２電圧を受信し、ドレーン端子は前記第４ノードに連結され、
前記第１４トランジスターのゲート端子は前記第１キャパシターの前記第２電極に連結され、ソース端子は前記第４ノードに連結され、ドレーン端子は前記第１クロック信号を受信し、
前記第３信号は前記第３ノードへ提供され、前記第４信号は前記第１ノードへ提供され、前記第４ノードの電圧は前記キャリー信号として出力される請求項２７に記載の発光制御駆動部。
【請求項２９】
前記第３信号処理部は第８乃至第１０トランジスター及び第３キャパシターを含み、
前記第８トランジスターのゲート端子は前記第１ノードに連結され、ソース端子は前記第２電圧を受信し、ドレーン端子は前記第３ノードに連結され、
前記第３キャパシターの第１電極は前記第２電圧を受信し、第２電極は前記第３ノードに連結され、
前記第９トランジスターのゲート端子は前記第３ノードに連結され、ソース端子は前記第２電圧を受信し、ドレーン端子は対応する発光制御ラインに連結され、
前記第１０トランジスターのゲート端子は前記第１ノードに連結され、前記ソース端子は前記対応する発光制御ラインに連結され、ドレーン端子は前記第１電圧を受信し、
前記第９トランジスターの前記ドレーン端子及び前記第１０トランジスターの前記ソース端子は次のステージの第１信号処理部の第１トランジスターのソース端子に連結される請求項２８に記載の有機発光表示装置。
【請求項３０】
前記各々の両方向駆動部は第１１トランジスター及び第１２トランジスターを含み、
前記第１１トランジスターのゲート端子は前記第１方向制御信号を受信し、ソース端子は前記第１入力信号を受信し、
前記第１２トランジスターのゲート端子は前記第２方向制御信号を受信し、ソース端子は前記第２入力信号を受信し、ドレーン端子は前記第１１トランジスターのドレーン端子に連結され、
前記第１１及び前記第１２トランジスターのドレーン端子を通じて前記第１信号処理部へ前記第１サブ制御信号が出力される請求項２４に記載の発光制御駆動部。
【発明の詳細な説明】
【技術分野】
【０００１】
本発明は発光制御駆動部及びそれを含む有機発光表示装置に関し、より詳細には構成が簡易化された発光制御駆動部及びそれを含む有機発光表示装置に関する。
【背景技術】
【０００２】
最近、液晶表示装置（Ｌｉｑｕｉｄ  Ｃｒｙｓｔａｌ  Ｄｉｓｐｌａｙ）、有機発光表示装置（Ｏｒｇａｎｉｃ  Ｌｉｇｈｔ  Ｅｍｉｔｔｉｎｇ  Ｄｉｓｐｌａｙ）、エレクトロ・ウェッティング表示装置（Ｅｌｅｃｔｒｏ  Ｗｅｔｔｉｎｇ  Ｄｉｓｐｌａｙ  Ｄｅｖｉｃｅ）、プラズマ表示装置（Ｐｌａｓｍａ  Ｄｉｓｐｌａｙ  Ｐａｎｅｌ：ＰＤＰ）及び電氣泳動表示装置（Ｅｌｅｃｔｒｏｐｈｏｒｅｔｉｃ  Ｄｉｓｐｌａｙ  Ｄｅｖｉｃｅ）等の多様な表示装置が開発されている。
【０００３】
表示装置の中で有機発光表示装置は電子と正孔との再結合によって光を発生する有機発光ダイオードを利用して映像を表示する。このような有機発光表示装置は速い応答速度を有し、消費電力が低い長所がある。
【０００４】
一般的な有機発光表示装置は映像を表示する複数の画素、画素に走査信号を順次的に供給する走査駆動部、画素にデータ電圧を供給するデータ駆動部、画素に発光制御信号を供給する発光制御駆動部を含む。
【０００５】
複数の画素は複数の走査信号に応答して複数のデータ電圧を受信する。画素はデータ電圧に対応する所定輝度の光を生成することによって、所定の映像を表示する。画素の発光時間は発光制御信号によって制御される。発光制御駆動部は初期化制御信号に応答して初期化され、発光制御信号に応答して発光制御信号を生成する。最近、発光制御駆動部の構成を簡易化できる技術が要求されている。
【先行技術文献】
【特許文献】
【０００６】
【特許文献１】韓国特許公開第１０−２００７−００４０７８６号公報
【発明の概要】
【発明が解決しようとする課題】
【０００７】
本発明の目的は構成が簡易化された発光制御駆動部を提供することにある。
【０００８】
本発明の他の目的は上記した発光制御駆動部を及びそれを含む有機発光表示装置を提供することにある。
【課題を解決するための手段】
【０００９】
本発明の一実施形態による発光制御駆動部は発光制御ラインを通じて順次的に発光制御信号を出力する複数のステージを含み、前記各々のステージは、第１電圧を受信し、第１サブ制御信号、及び第２サブ制御信号に応答して第１信号及び第２信号を生成する第１信号処理部、前記第１電圧より低いレベルを有する第２電圧を受信し、第３サブ制御信号、前記第１信号、及び前記第２信号に応答して第３信号及び第４信号を生成する第２信号処理部、及び前記第１電圧及び前記第２電圧を受信し、前記第３信号及び前記第４信号に応答して前記発光制御信号を生成する第３信号処理部を含み、前記各々のステージの前記第１信号処理部は前段のステージから出力される前記発光制御信号を前記第１サブ制御信号として受信し、第１番目ステージの前記第１信号処理部は前記第１サブ制御信号を開始信号として受信する。
【００１０】
奇数番目ステージの各々の前記第１信号処理部は前記第２サブ制御信号として第１クロック信号を受信し、前記第２信号処理部は前記第３サブ制御信号として第２クロック信号を受信し、偶数番目ステージの各々の前記第１信号処理部は前記第２サブ制御信号として前記第２クロック信号を受信し、前記第２信号処理部は前記第３サブ制御信号として前記第１クロック信号を受信する。
【００１１】
前記第１及び前記第２クロック信号は同一の周波数を有し、前記第２クロック信号は前記第１クロック信号の周期の半周期区間として定義される第１区間、前記第１クロック信号がシフトされた信号である。
【００１２】
前記開始信号の活性化レベル区間は前記第１区間の４倍の時間を有する区間として定義される第２区間に設定され、前記開始信号は前記第１クロック信号が第１レベルから前記第１レベルより低いレベルを有する第２レベルに遷移される始点で活性化される。
【００１３】
前記発光制御信号は各々前記第１区間の３倍の時間として定義される第３区間の間に前記第２電圧レベルを有し、前記発光制御信号は順次的に前記第１区間、シフトされて出力される。
【００１４】
前記第１信号処理部は第１乃至第３トランジスターを含み、前記第１トランジスターのゲート端子は前記第２サブ制御信号を受信し、ソース端子は前記第１サブ制御信号を受信し、前記第２トランジスターのゲート端子は前記第１トランジスターのドレーン端子に連結され、ドレーン端子は前記第２サブ制御信号を受信し、前記第３トランジスターのゲート端子は前記第２サブ制御信号を受信し、ソース端子は前記第２トランジスターのソース端子に連結され、ドレーン端子は前記第１電圧を受信し、前記第１信号は互いに連結された前記第２及び前記第３トランジスターの前記ソース端子を通じて出力され、前記第２信号は前記第１トランジスターの前記ドレーン端子を通じて出力される。
【００１５】
前記第２信号処理部は第４乃至第７トランジスターと第１及び第２キャパシターを含み、前記第４トランジスターのゲート端子は前記第３サブ制御信号を受信し、ドレーン端子は第１ノード及び前記第１トランジスターの前記ドレーン端子に連結され、前記第１キャパシターの第１電極は前記第３サブ制御信号を受信し、第２電極は前記第４トランジスターの前記ドレーン端子に連結され、前記第５トランジスターのゲート端子は前記第３トランジスターの前記ソース端子及び第２ノードに連結され、ソース端子は前記第２電圧を受信し、ドレーン端子は前記第４トランジスターのソース端子に連結され、前記第６トランジスターのゲート端子は前記第２ノードに連結され、ドレーン端子は前記第３サブ制御信号を受信し、前記第２キャパシターの第１電極は前記第６トランジスターの前記ゲート端子に連結され、第２電極は前記第６トランジスターのソース端子に連結され、前記第７トランジスターのゲート端子は前記第３サブ制御信号を受信し、ソース端子は第３ノードに連結され、ドレーン端子は前記第６トランジスターの前記ソース端子に連結され、前記第３信号は前記第３ノードへ提供され、前記第４信号は前記第１ノードへ提供される。
【００１６】
前記第３信号処理部は第８乃至第１０トランジスター及び第３キャパシターを含み、前記第８トランジスターのゲート端子は前記第１ノードに連結され、ソース端子は前記第２電圧を受信し、ドレーン端子は前記第３ノードに連結され、前記第３キャパシターの第１電極は前記第２電圧を受信し、第２電極は前記第３ノードに連結され、前記第９トランジスターのゲート端子は前記第３ノードに連結され、ソース端子は前記第２電圧を受信し、ドレーン端子は対応する発光制御ラインに連結され、前記第１０トランジスターのゲート端子は前記第１ノードに連結され、前記ソース端子は前記対応する発光制御ラインに連結され、ドレーン端子は前記第１電圧を受信し、前記第９トランジスターの前記ドレーン端子及び前記第１０トランジスターの前記ソース端子は次のステージの第１信号処理部の第１トランジスターのソース端子に連結される。
【００１７】
本発明の一実施形態による有機発光表示装置は対応する走査ライン、対応するデータライン、及び対応する発光制御ラインに連結された複数の画素を含む表示パネル、前記走査ラインを通じて走査信号を前記画素へ順次的に提供する走査駆動部、前記データラインを通じてデータ電圧を前記画素へ提供するデータ駆動、及び前記発光制御ラインを通じて順次的に発光制御信号を前記画素へ提供する複数のステージを含む発光制御駆動部と、を含み、前記各々のステージは、第１電圧を受信し、第１サブ制御信号及び第２サブ制御信号に応答して第１信号及び第２信号を生成する第１信号処理部、前記第１電圧より低いレベルを有する第２電圧を受信し、第３サブ制御信号、前記第１信号、及び前記第２信号に応答して第３信号及び第４信号を生成する第２信号処理部、及び前記第１電圧及び前記第２電圧を受信し、前記第３信号及び前記第４信号に応答して前記発光制御信号を生成する第３信号処理部を含み、前記各々のステージの前記第１信号処理部は前段のステージから出力される前記発光制御信号を前記第１サブ制御信号として受信し、第１番目ステージの前記第１信号処理部は前記第１サブ制御信号を開始信号として受信する。
【００１８】
本発明の一実施形態による発光制御駆動部は発光制御ラインを通じて順次的に発光制御信号を出力する複数のステージを含み、前記各々のステージは、第１方向制御信号及び第２方向制御信号に応答して第１入力信号及び第２入力信号の中でいずれか１つを第１サブ制御信号として出力する両方向駆動部、第１電圧を受信し、前記第１サブ制御信号、及び第２サブ制御信号に応答して第１信号及び第２信号を生成する第１信号処理部、前記第１電圧より低いレベルを有する第２電圧を受信し、第３サブ制御信号、前記第１信号、及び前記第２信号に応答して第３信号及び第４信号を生成する第２信号処理部、及び前記第１電圧及び前記第２電圧を受信し、前記第３信号及び前記第４信号に応答して前記発光制御信号を生成する第３信号処理部を含み、前記各々の両方向駆動部は前段のステージから出力される前記発光制御信号を前記第１入力信号として受信し、次段のステージから出力される前記発光制御信号を前記第２入力信号として受信し、第１番目ステージの前記両方向駆動部は前記第１入力信号として開始信号を受信し、最後のステージの前記両方向駆動部は前記第２入力信号として前記開始信号を受信する。
【００１９】
本発明の一実施形態による発光制御駆動部は発光制御ラインを通じて順次的に発光制御信号を出力する複数のステージを含み、前記各々のステージは、第１方向制御信号及び第２方向制御信号に応答して第１入力信号及び第２入力信号の中でいずれか１つを第１サブ制御信号として出力する両方向駆動部、第１電圧を受信し、前記第１サブ制御信号、及び第２サブ制御信号に応答して第１信号及び第２信号を生成する第１信号処理部、前記第１電圧より低いレベルを有する第２電圧を受信し、第３サブ制御信号、前記第１信号、及び前記第２信号に応答して第３信号、第４信号、及びキャリー信号を生成する第２信号処理部、及び前記第１電圧及び前記第２電圧を受信し、前記第３信号及び前記第４信号に応答して前記発光制御信号を生成する第３信号処理部を含み、前記各々の両方向駆動部は前段のステージから出力される前記キャリー信号を前記第１入力信号として受信し、次段のステージから出力される前記キャリー信号を前記第２入力信号として受信し、第１番目ステージの前記両方向駆動部は前記第１入力信号として開始信号を受信し、最後のステージの前記両方向駆動部は前記第２入力信号として前記開始信号を受信する。
【発明の効果】
【００２０】
本発明の有機発光表示装置の発光制御駆動部は簡易化された構成を有する。
【図面の簡単な説明】
【００２１】
【図１】本発明の第１実施形態による有機発光表示装置のブロック図である。
【図２】図１に図示された任意の１画素の等価回路図である。
【図３】図１に図示された発光制御駆動部の構成を示すブロック図である。
【図４】図３に図示されたステージの詳細回路図である。
【図５】図４に図示された第１ステージの動作を説明するためのタイミング図である。
【図６】本発明の第２実施形態による有機発光表示装置の発光制御駆動部のステージの詳細回路図である。
【図７】本発明の第２実施形態による有機発光表示装置の発光制御駆動部のステージの詳細回路図である。
【図８】本発明の第３実施形態による有機発光表示装置の発光制御駆動部のステージの詳細回路図である。
【図９】図８に図示された第１ステージの動作を説明するためのタイミング図である。
【図１０】図８に図示された第２ステージの動作を説明するためのタイミング図である。
【発明を実施するための形態】
【００２２】
本発明の長所及び特徴は添付される図面と共に詳細に後術されている実施形態を参照すれば明確になる。本発明は以下で詳細に説明される実施形態に限定されることではなく、互に異なる多様な形態で具現され得る。
【００２３】
以下の説明である部分が他の部分と連結されているとする時、これは直接的に連結されている場合のみならず、その中間に他の素子を介して電気的に連結されている場合も含む。また、図面で本発明と関係ない部分は本発明の説明を明確にするために省略し、明細書全体を通じて類似な部分に対しては同一の図面符号に図示した。
【００２４】
以下、添付された図面を参照して本発明の望ましい実施形態をより詳細に説明する。
【００２５】
図１は本発明の第１実施形態による有機発光表示装置のブロック図である。
【００２６】
図１を参照すれば、本発明の第１実施形態による有機発光表示装置１００は表示パネル１１０、タイミングコントローラ１２０、走査駆動部１３０、データ駆動部１４０、及び発光制御駆動部１５０を含む。
【００２７】
表示パネル１１０はマトリックス形態に配列された複数の画素ＰＸ１１〜ＰＸｎｍを含む。画素ＰＸ１１〜ＰＸｎｍは行方向に延長された複数の走査ラインＳ１〜Ｓｎ及び走査ラインＳ１〜Ｓｎと交差する複数のデータラインＤ１〜Ｄｍに連結される。また、画素ＰＸ１１〜ＰＸｎｍは走査ラインＳ１〜Ｓｎと平行に延長された複数の発光制御ラインＥ１〜Ｅｎに連結される。
【００２８】
走査ラインＳ１〜Ｓｎは走査駆動部１３０に連結されて走査信号を受信する。データラインＤ１〜Ｄｍはデータ駆動部１４０に連結されてデータ電圧を受信する。発光制御ラインＥ１〜Ｅｎは発光制御駆動部１５０に連結されて発光制御信号を受信する。ｎ及びｍは０より大きい整数である。
【００２９】
タイミングコントローラ１２０は外部（例えば、システムボード）から映像信号Ｒ、Ｇ、Ｂ及び制御信号を受信する。制御信号は水平同期信号Ｈｓｙｎｃ、垂直同期信号Ｖｓｙｎｃ、及びメーンクロック信号ＭＣＬＫ等を包含することができる。
【００３０】
タイミングコントローラ１２０はデータ駆動部１４０とのインターフェイス仕様に合うように映像信号Ｒ、Ｇ、Ｂのデータフォーマットを変換する。タイミングコントローラ１２０はデータフォーマットが変換された映像信号Ｒ’、Ｇ’、Ｂ’をデータ駆動部１４０へ提供する。
【００３１】
タイミングコントローラ１２０は外部から提供された制御信号に応答して第１制御信号ＣＯＮＴ１、第２制御信号ＣＯＮＴ２、及び第３制御信号ＣＯＮＴ３を生成する。第１制御信号ＣＯＮＴ１は走査駆動部１３０の動作タイミングを制御するための制御信号である。第２制御信号ＣＯＮＴ２はデータ駆動部１４０の動作タイミングを制御するための制御信号である。第３制御信号ＣＯＮＴ３は発光制御駆動部１５０の動作タイミングを制御するための制御信号である。タイミングコントローラ１２０は第１制御信号ＣＯＮＴ１を走査駆動部１３０へ提供し、第２制御信号ＣＯＮＴ２をデータ駆動部１４０へ提供し、第３制御信号ＣＯＮＴ３を発光制御駆動部１５０へ提供する。
【００３２】
走査駆動部１３０は第１制御信号ＣＯＮＴ１に応答して複数の走査信号を生成する。走査信号は走査ラインＳ１〜Ｓｎを通じて画素ＰＸ１１〜ＰＸｎｍへ行単位に、そして順次的に印加される。その結果、画素ＰＸ１１〜ＰＸｎｍは行単位に、そして順次的に選択され得る。
【００３３】
データ駆動部１４０は第２制御信号ＣＯＮＴ２に応答して映像信号Ｒ’、Ｇ’、Ｂ’に対応されるデータ電圧を生成する。データ電圧は対応するデータラインＤ１〜Ｄｍを通じて画素ＰＸ１１〜ＰＸｎｍへ提供される。
【００３４】
発光制御駆動部１５０を制御するための第３制御信号ＣＯＮＴ３は複数のサブ制御信号を含む。サブ制御信号は開始信号ＦＬＭ、第１クロック信号ＣＬＫ１、及び第２クロック信号ＣＬＫ２を包含することができる。
【００３５】
発光制御駆動部１５０には第１電圧ＶＧＬ及び第１電圧ＶＧＬより高いレベルを有する第２電圧ＶＧＨが提供される。発光制御駆動部１５０は第３制御信号ＣＯＮＴ３に応答して発光制御信号を生成する。具体的に、発光制御駆動部１５０は開始信号ＦＬＭ、第１クロック信号ＣＬＫ１、第２クロック信号ＣＬＫ２、第１電圧ＶＧＬ、及び第２電圧ＶＧＨを利用して発光制御信号を生成する。このような動作は以下、詳細に説明される。発光制御信号は発光制御ラインＥ１〜Ｅｎを通じて画素ＰＸ１１〜ＰＸｎｍへ提供される。
【００３６】
画素ＰＸ１１〜ＰＸｎｍは第１発光電圧ＥＬＶＤＤ及び第２発光電圧ＥＬＶＳＳを受信する。画素ＰＸ１１〜ＰＸｎｍは各々対応する走査ラインＳ１〜Ｓｎを通じて提供された走査信号に応答して対応するデータラインＤ１〜Ｄｍを通じてデータ電圧を受信する。画素ＰＸ１１〜ＰＸｎｍは各々対応する発光制御ラインＥ１〜Ｅｎを通じて発光制御信号を受信する。各々の画素ＰＸ１１〜ＰＸｎｍは第１発光電圧ＥＬＶＤＤ及び第２発光電圧ＥＬＶＳＳを利用して提供されたデータ電圧に対応する輝度に発光される。このような動作は以下詳細に説明される。各々の画素ＰＸ１１〜ＰＸｎｍの発光時間は発光制御信号によって制御され得る。
【００３７】
本発明の発光制御駆動部１５０は開始信号ＦＬＭ、第１クロック信号ＣＬＫ１、第２クロック信号ＣＬＫ２、第１電圧ＶＧＬ、及び第２電圧ＶＧＨのみを利用して発光制御信号を生成することができる。即ち、発光制御駆動部１５０には初期化されるための別の制御信号が要求されない。したがって、発光制御駆動部１５０の構成が簡易化されることができる。
【００３８】
図２は図１に図示された任意の１画素の等価回路図である。
【００３９】
図１に図示された画素ＰＸ１１〜ＰＸｎｍは同一の構成を有し、同様に動作されるので、図２には１つの画素の等価回路図のみを図示した。したがって、以下１つの画素の動作に対して説明する。
【００４０】
図２を参照すれば、画素Ｐｉｊは有機発光ダイオード（ｏｒｇａｎｉｃ  ｌｉｇｈｔ  ｅｍｉｔｔｉｎｇ  ｄｉｏｄｅ：ＯＬＥＤ）、駆動トランジスターＴ１、キャパシターＣｓｔ、スイッチングトランジスターＴ２、及び発光制御トランジスターＴ３を含む。駆動トランジスターＴ１のソース端子は第１発光電圧ＥＬＶＤＤを受信し、ドレーン端子は発光制御トランジスターＴ３のソース端子に連結される。駆動トランジスターＴ１のゲート端子はスイッチングトランジスターＴ２のドレーン端子に連結される。スイッチングトランジスターＴ２のゲート端子は対応する走査ラインＳｉに連結され、ソース端子は対応するデータラインＤｊに連結される。
【００４１】
スイッチングトランジスターＴ２は走査ラインＳｉを通じて提供された走査信号に応答してターンオンされる。ターンオンされたスイッチングトランジスターＴ２はデータラインＤｊを通じて提供されたデータ電圧を駆動トランジスターＴ１のゲート端子へ提供する。
【００４２】
キャパシターＣｓｔの第１電極は駆動トランジスターＴ１のソース端子に連結され、第２電極は駆動トランジスターＴ１のゲート端子に連結される。キャパシターＣｓｔは駆動トランジスターＴ１のゲート端子へ印加されるデータ電圧を充電し、スイッチングトランジスターＴ２がターンオフされた後にもこれを維持する。
【００４３】
発光制御トランジスターＴ３のゲート端子は対応する発光制御ラインＥｉに連結され、ドレーン端子は有機発光ダイオードＯＬＥＤのアノード電極に連結される。発光制御トランジスターＴ３は発光制御ラインＥｉを通じて提供された発光制御信号に応答してターンオンされる。ターンオンされた発光制御トランジスターＴ３は駆動トランジスターＴ１に流れる電流ＩＯＬＥＤを有機発光ダイオードＯＬＥＤへ提供する役割を果たす。
【００４４】
有機発光ダイオードＯＬＥＤはカソード電極に第２発光電圧ＥＬＶＳＳが提供される。有機発光ダイオードＯＬＥＤは発光制御トランジスターＴ３を通じて駆動トランジスターＴ１が供給する電流量ＩＯＬＥＤにしたがって強さを異なりにして発光する。
【００４５】
図３は図１に図示された発光制御駆動部の構成を示すブロック図である。
【００４６】
図３を参照すれば、発光制御駆動部１５０は互いに従属的に連結されて発光制御信号を順次的に出力する複数のステージＳＴＡＧＥ１〜ＳＴＡＧＥｎを含む。ステージＳＴＡＧＥ１〜ＳＴＡＧＥｎは各々対応する発光制御ラインＥ１〜Ｅｎに連結されて発光制御信号を順次的に出力する。発光制御信号は所定区間の間に互いにオーバーラップされて出力される。
【００４７】
ステージＳＴＡＧＥ１〜ＳＴＡＧＥｎは各々第１電圧ＶＧＬ及び第１電圧ＶＧＬより高いレベルを有する第２電圧ＶＧＨを受信する。また、ステージはＳＴＡＧＥ１〜ＳＴＡＧＥｎは各々第１クロック信号ＣＬＫ１及び第２クロック信号ＣＬＫ２を受信する。
【００４８】
以下、発光制御ラインＥ１〜Ｅｎを通じて出力される発光制御信号は第１乃至第ｎ発光制御信号として定義する。
【００４９】
ステージＳＴＡＧＥ１〜ＳＴＡＧＥｎの中で第１ステージＳＴＡＧＥ１は開始信号ＦＬＭを受信して駆動される。具体的に第１ステージＳＴＡＧＥ１は第１電圧ＶＧＬ及び第２電圧ＶＧＨを受信し、開始信号ＦＬＭ、第１クロック信号ＣＬＫ１、及び第２クロック信号ＣＬＫ２に応答して第１発光制御信号を生成する。第１発光制御信号は第１発光制御ラインＥ１を通じて対応する行単位に配列された画素へ提供される。
【００５０】
第１ステージＳＴＡＧＥ１を除外したステージＳＴＡＧＥ２〜ＳＴＡＧＥｎは各々互いに従属的に連結されて順次的に駆動される。具体的に、現在段のステージは前段のステージの出力端に連結され、前段のステージから出力される発光制御信号を受信する。現在段のステージは前段のステージから受信された発光制御信号に応答して駆動される。
【００５１】
例えば、第２ステージＳＴＡＧＥ２は前段のステージである第１ステージＳＴＡＧＥ１から出力される第１発光制御信号を受信する。第２ステージＳＴＡＧＥ２は第１発光制御信号に応答して駆動される。具体的に、第２ステージＳＴＡＧＥ２は第１電圧ＶＧＬ及び第２電圧ＶＧＨを受信し、第１発光制御信号、第１クロック信号ＣＬＫ１、及び第２クロック信号ＣＬＫ２に応答して第２発光制御信号を生成する。第２発光制御信号は第２発光制御ラインＥ２を通じて対応する行単位に配列された画素へ提供される。その他のステージＳＴＡＧＥ３〜ＳＴＡＧＥｎもやはり同様に動作するので、以下、その他のステージＳＴＡＧＥ３〜ＳＴＡＧＥｎの動作説明は省略される。
【００５２】
図４は図３に図示されたステージの詳細回路図である。
【００５３】
図４には第１ステージＳＴＡＧＥ１及び第２ステージＳＴＡＧＥ２の回路図が図示されたが、実質的にステージＳＴＡＧＥ３〜ＳＴＡＧＥｎは同一の構成を有し、同様に動作する。したがって、以下第１ステージＳＴＡＧＥ１の構成と動作が詳細に説明され、第２ステージＳＴＡＧＥ２及びその他のステージＳＴＡＧＥ３〜ＳＴＡＧＥｎの構成と動作は簡略に説明される。
【００５４】
図４を参照すれば、ステージＳＴＡＧＥ１〜ＳＴＡＧＥｎは各々第１信号処理部１５１、第２信号処理部１５２、及び第３信号処理部１５３を含む。
【００５５】
ステージＳＴＡＧＥ１〜ＳＴＡＧＥｎの各々の第１信号処理部１５１へ提供される制御信号は第１サブ制御信号及び第２サブ制御信号として定義され得る。
【００５６】
具体的に、各々のステージＳＴＡＧＥ２〜ＳＴＡＧＥｎの第１信号処理部１５１は前段のステージから出力される発光制御信号を第１サブ制御信号として受信することができる。第１ステージＳＴＡＧＥ１の第１信号処理部１５１は第１サブ制御信号として開始信号ＦＬＭを受信することができる。
【００５７】
また、奇数番目ステージＳＴＡＧＥ１、ＳＴＡＧＥ３、…、ＳＴＡＧＥｎ−１の各々の第１信号処理部１５１は第２サブ制御信号として第１クロック信号ＣＬＫ１を受信することができる。偶数番目ステージＳＴＡＧＥ２、ＳＴＡＧＥ４、…、ＳＴＡＧＥｎの各々の第１信号処理部１５１は第２サブ制御信号として第２クロック信号ＣＬＫ２を受信することができる。
【００５８】
したがって、第１信号処理部１５１は第１電圧ＶＧＬを受信し、第１サブ制御信号、及び第２サブ制御信号に応答して第１信号ＣＳ１及び第２信号ＣＳ２を生成することができる。第１信号ＣＳ１及び第２信号ＣＳ２は第２信号処理部１５２へ提供される。
【００５９】
第１ステージＳＴＡＧＥ１を例として説明すれば、第１ステージＳＴＡＧＥ１の第１信号処理部１５１は第１電圧ＶＧＬを受信し、開始信号ＦＬＭ及び第１クロック信号ＣＬＫ１に応答して第１信号ＣＳ１及び第２信号ＣＳ２を生成する。第１信号処理部１５１は第１信号ＣＳ１及び第２信号ＣＳ２を第２信号処理部１５２へ提供する。
【００６０】
第１信号処理部１５１は第１乃至第３トランジスターＭ１〜Ｍ３を含む。第１乃至第３トランジスターＭ１〜Ｍ３はＰＭＯＳトランジスターで構成されることができる。
【００６１】
第１トランジスターＭ１のソース端子は開始信号ＦＬＭを受信し、ゲート端子は第１クロック信号ＣＬＫ１を受信し、ドレーン端子は第２トランジスターＭ２のゲート端子に連結される。
【００６２】
第２トランジスターＭ２のゲート端子は第１トランジスターＭ１のドレーン端子に連結され、ソース端子は第３トランジスターＭ３のソース端子に連結され、ドレーン端子は第１クロック信号ＣＬＫ１を受信する。
【００６３】
第３トランジスターＭ３のゲート端子は第１クロック信号ＣＬＫ１を受信し、第２トランジスターＭ２のドレーン端子に連結される。第３トランジスターＭ３のソース端子は第２トランジスターＭ２のソース端子に連結され、ドレーン端子は第１電圧ＶＧＬを受信する。
【００６４】
第１信号ＣＳ１は互いに連結された第２及び第３トランジスターＭ２、Ｍ３のソース端子を通じて出力される。第２信号ＣＳ２は第１トランジスターＭ１のドレーン端子を通じて出力される。
【００６５】
ステージＳＴＡＧＥ１〜ＳＴＡＧＥｎの各々の第２信号処理部１５２へ提供される制御信号は第３サブ制御信号として定義され得る。
【００６６】
具体的に奇数番目ステージＳＴＡＧＥ１、ＳＴＡＧＥ３、…、ＳＴＡＧＥｎ−１の各々の第２信号処理部１５２は第３サブ制御信号として第２クロック信号ＣＬＫ２を受信することができる。偶数番目ステージＳＴＡＧＥ２、ＳＴＡＧＥ４、…、ＳＴＡＧＥｎの各々の第２信号処理部１５２は第３サブ制御信号として第１クロック信号ＣＬＫ１を受信することができる。
【００６７】
第２信号処理部１５２は第２電圧ＶＧＨを受信し、第３サブ制御信号、第１信号ＣＳ１、及び第２信号ＣＳ３に応答して第３信号ＣＳ３及び第４信号ＣＳ４を生成することができる。第３信号ＣＳ３及び第４信号ＣＳ４は第２信号処理部１５２へ提供される。
【００６８】
第１ステージＳＴＡＧＥ１を例として説明すれば、第１ステージＳＴＡＧＥ１の第２信号処理部１５２は第２電圧ＶＧＨを受信し、第２クロック信号ＣＬＫ２と第１信号処理部１５１から提供された第１信号ＣＳ１及び第２信号ＣＳ２に応答して第３信号ＣＳ３及び第４信号ＣＳ３を生成する。第２信号処理部１５２は第３信号ＣＳ３及び第４信号ＣＳ４を第３信号処理部１５３へ提供する。
【００６９】
第２信号処理部１５２は第４乃至第７トランジスターＭ４〜Ｍ７と第１及び第２キャパシターＣ１、Ｃ２を含む。第４乃至第７トランジスターＭ４〜Ｍ７はＰＭＯＳトランジスターで構成されることができる。
【００７０】
第４トランジスターＭ４のゲート端子は第２クロック信号ＣＬＫ２を受信し、ドレーン端子は第１ノードＮ１及び第２トランジスターＭ２のゲート端子に連結され、ソース端子は第５トランジスターＭ５のドレーン端子に連結される。
【００７１】
第１キャパシターＣ１の第１電極は第２クロック信号ＣＬＫ２を受信し、第２電極は第４トランジスターＭ４のドレーン端子及び第１ノードＮ１に連結される。
【００７２】
第５トランジスターＭ５のゲート端子は第３トランジスターＭ３のソース端子及び第２ノードＮ２に連結され、ソース端子は第２電圧ＶＧＨを受信し、ドレーン端子は第４トランジスターＭ４のソース端子に連結される。
【００７３】
第６トランジスターＭ６のゲート端子は第２ノードＮ２に連結され、ソース端子は第７トランジスターＭ７のドレーン端子に連結され、ドレーン端子は第２クロック信号ＣＬＫ２を受信する。
【００７４】
第２キャパシターＣ２の第１電極は第６トランジスターＭ６のゲート端子に連結され、第２電極は第６トランジスターＭ６のソース端子に連結される。
【００７５】
第７トランジスターＭ７のゲート端子は第２クロック信号ＣＬＫ２を受信し、ソース端子は第３ノードＮ３に連結され、ドレーン端子は第６トランジスターＭ６のソース端子に連結される。
【００７６】
第３信号ＣＳ３は第３ノードＮ３へ提供される。第４信号ＣＳ４は第１ノードＮ１へ提供される。
【００７７】
第１ステージＳＴＡＧＥ１の第３信号処理部１５３は第１電圧ＶＧＬ及び第２電圧ＶＧＨを受信し、第２信号処理部１５２から提供された第３信号ＣＳ３及び第４信号ＣＳ４に応答して第１発光制御信号を生成する。第１発光制御信号は第１発光制御ラインＥ１を通じて画素へ提供される。第１発光制御信号は第２ステージＳＴＡＧＥ２の第１信号処理部１５１へ提供される。
【００７８】
第３信号処理部１５３は第８乃至第１０トランジスターＭ８〜Ｍ１０及び第３キャパシターＣ３を含む。第８乃至第１０トランジスターＭ８〜Ｍ１０はＰＭＯＳトランジスターで構成され得る。
【００７９】
第８トランジスターＭ８のゲート端子は第１ノードＮ１に連結され、ソース端子は第２電圧ＶＧＨを受信し、ドレーン端子は第３ノードＮ３に連結される。
【００８０】
第３キャパシターＣ３の第１電極は第２電圧ＶＧＨを受信し、第２電極は第３ノードＮ３に連結される。
【００８１】
第９トランジスターＭ９のゲート端子は第３ノードＮ３に連結され、ソース端子は第２電圧ＶＧＨを受信し、ドレーン端子は第１発光制御ラインＥ１に連結される。
【００８２】
第１０トランジスターＭ１０のゲート端子は第１ノードＮ１に連結され、ソース端子は第１発光制御ラインＥ１に連結され、ドレーン端子は第１電圧ＶＧＬを受信する。
【００８３】
第９トランジスターＭ９のドレーン端子及び第１０トランジスターＭ１０のソース端子は第２ステージＳＴＡＧＥ２の第１信号処理部１５１の第１トランジスターＭ１のソース端子に連結される。
【００８４】
開始信号ＦＬＭ、第１クロック信号ＣＬＫ１、及び第２クロック信号ＣＬＫ２によるトランジスターＭ１〜Ｍ１０の具体的な動作は以下、図５で詳細に説明される。
【００８５】
図５は図４に図示された第１ステージの動作を説明するためのタイミング図である。
【００８６】
図５を参照すれば、第１クロック信号ＣＬＫ１及び第２クロック信号ＣＬＫ２は同一の周波数を有する。即ち、第１クロック信号ＣＬＫ１及び第２クロック信号ＣＬＫ２は同一の第１周期Ｔ１を有する。第２クロック信号ＣＬＫ２は第１クロック信号ＣＬＫ１の第１周期Ｔ１の半周期くらい第１クロック信号ＣＬＫ１がシフトされた信号である。第１クロック信号ＣＬＫ１から第２クロック信号ＣＬＫ２がシフトされた区間は第１区間１Ｈとして定義され得る。
【００８７】
開始信号ＦＬＭは第１ステージＳＴＡＧＥ１のみへ提供され、開始信号ＦＬＭのハイレベル区間は第２区間４Ｈとして定義され得る。第２区間４Ｈは第１クロック信号ＣＬＫ１及び第２クロック信号ＣＬＫ２の周期の２倍の区間として設定され得る。即ち、第２区間４Ｈは１区間１Ｈの４倍の時間を有する区間として設定され得る。
【００８８】
開始信号ＦＬＭは第１クロック信号ＣＬＫ１がハイレベルからローレベルに遷移される時、ローレベルからハイレベルに遷移できる。上述したように、開始信号ＦＬＭはローレベルからハイレベルに遷移された後、第２区間４Ｈの間にハイレベルを維持する。即ち、開始信号ＦＬＭは第１クロック信号ＣＬＫ１がハイレベルからローレベルに遷移される時、活性化され、活性化された区間は第２区間４Ｈの間に維持される。
【００８９】
以下、各信号のハイレベルは第１レベルとして定義され、ハイレベルより低いローレベルは第２レベルとして定義される。また、第１電圧ＶＧＬは第２レベルを有し得り、第２電圧ＶＧＨは第１レベルを有することができる。
【００９０】
第１時間Ｔ１で開始信号ＦＬＭ及び第１クロック信号ＣＬＫ１は第２レベルを有し、第２クロック信号ＣＬＫ２は第１レベルを有する。
【００９１】
第２レベルを有する第１クロック信号ＣＬＫ１は第１トランジスターＭ１のゲート及び第３トランジスターＭ３のゲートへ提供される。したがって、第１トランジスターＭ１及び第３トランジスターＭ３はターンオンされる。
【００９２】
ターンオンされた第１トランジスターＭ１を通じて第２レベルを有する開始信号ＦＬＭは第２トランジスターＭ２のゲート及び第１ノードＮ１へ提供される。したがって、第２トランジスターＭ２はターンオンされ、第１ノードＮ１の電圧は第２レベルを有する。
【００９３】
ターンオンされた第２トランジスターＭ２を通じて第２レベルを有する第１クロック信号ＣＬＫ１とターンオンされた第３トランジスターＭ３を通じて第１電圧ＶＧＬが第２ノードＮ２へ提供される。したがって、第２ノードＮ２の電圧は第２レベルを有する。
【００９４】
第１レベルを有する第２クロック信号ＣＬＫ２は第４トランジスターＭ４及び第７トランジスターＭ７へ提供される。したがって、第４及び第７トランジスターＭ４、Ｍ７はターンオフされる。
【００９５】
第１ノードＮ１の電圧が第２レベルを有するので、第８トランジスターＭ８はターンオンされる。ターンオンされた第８トランジスターＭ８を通じて第２電圧ＶＧＨが第３ノードＮ３へ提供される。したがって、第３ノードＮ３の電圧は第１レベルを有する。第３キャパシターＣ３には第２電圧ＶＧＨが充電される。即ち、第３キャパシターＣ３には第１レベルを有する電圧が充電される。第３ノードＮ３の電圧は第１レベルを有するので、第９トランジスターＭ９はターンオフされる。
【００９６】
第１ノードＮ１の電圧は第２レベルを有するので、第１０トランジスターＭ１０はターンオンされる。ターンオンされた第１０トランジスターＭ１０によって第１電圧ＶＧＬが第１発光制御ラインＥ１へ提供される。したがって第１発光制御信号は第２レベルを有する。
【００９７】
第２時間Ｔ２で開始信号ＦＬＭは第２レベルを有し、第１クロック信号ＣＬＫ１及び第２クロック信号ＣＬＫ２は第１レベルを有する。第１レベルを有する第１クロック信号ＣＬＫ１によって第１トランジスターＭ１及び第３トランジスターＭ３はターンオフされる。
【００９８】
第１ノードＮ１の電圧は第２レベルに維持されるので、第２トランジスターＭ２はターンオンされる。ターンオンされた第２トランジスターＭ２を通じて第１レベルを有する第１クロック信号ＣＬＫ１が第２ノードＮ２へ提供される。したがって、第２ノードＮ２の電圧は第１レベルを有する。
【００９９】
第１ノードＮ１の電圧は第２レベルを有するので、第８トランジスターＭ８及び第１０トランジスターＭ１０はターンオンされる。ターンオンされた第８トランジスターＭ８を通じて第２電圧ＶＧＨが第３ノードＮ３へ提供されるので、第３ノードＮ３の電圧は第１レベルを維持する。
【０１００】
第３ノードＮ３の電圧が第１レベルを有し、第１ノードＮ１の電圧が第２レベルを有するので、第９トランジスターＭ９はターンオフされ、第１０トランジスターＭ１０はターンオンされる。したがって、第１発光制御信号は第２レベルを維持する。
【０１０１】
第３時間Ｔ３で第２クロック信号ＣＬＫ２は第１レベルから第２レベルに遷移した後、第２レベルから第１レベルに再び遷移する。したがって、第１ノードＮ１の電位は第１キャパシターＣ１のカップリング（ｃｏｕｐｌｉｎｇ）によって、第２クロック信号ＣＬＫ２の電位変化量、ブートストラップ（Ｂｏｏｔ  Ｓｔｒａｐ）される。即ち、第２時間Ｔ２で第２レベルの電圧を有する第１ノードＮ１は第１キャパシターＣ１のカップリング（ｃｏｕｐｌｉｎｇ）によって、第２クロック信号ＣＬＫ２の第２レベル区間で第２レベルより低い電圧レベルを有する第３レベルの電圧を有する。一般的なＰＭＯＳトランジスターはより低い電圧レベルが印加されるほど、さらによい駆動特性を有する。第２クロック信号ＣＬＫ２の第２レベル区間で第１ノードＮ１の電圧は第２レベルより低い第３レベルを有するので、第８及び第１０トランジスターＭ８、Ｍ１０の駆動特性は向上され得る。第１発光制御信号は第２レベルを維持する。
【０１０２】
第４時間Ｔ４で開始信号ＦＬＭ及び第２クロック信号ＣＬＫ２は第１レベルを有し、第１クロック信号ＣＬＫ１は第２レベルを有する。
【０１０３】
第２レベルを有する第１クロック信号ＣＬＫ１によって、第１トランジスターＭ１はターンオンされ、第１レベルを有する開始信号ＦＬＭは第１ノードＮ１へ提供される。第１ノードＮ１の電圧は第１レベルを有する。第１ノードＮ１の電圧が第１レベルを有するので、第２トランジスターＭ２及び第１０トランジスターＭ１０はターンオフされる。
【０１０４】
第２レベルを有する第１クロック信号ＣＬＫ１によって、第３トランジスターＭ３はターンオンされ、第１電圧ＶＧＬは第２ノードＮ２へ提供される。したがって、第２ノードＮ２の電圧は第２レベルを有する。
【０１０５】
第１レベルを有する第２クロック信号ＣＬＫ２によって、第７トランジスターＭ７はターンオフされる。第１ノードＮ１の電圧は第１レベルを有するので、第８トランジスターＭ８はターンオフされる。第３ノードＮ３の電圧は第３キャパシターＣ３によって第１レベルを維持する。第３ノードＮ３の電圧は第１レベルを維持するので、第９トランジスターＭ９はターンオフされる。したがって、第１発光制御信号は第２レベルを維持する。
【０１０６】
第５時間Ｔ５で開始信号ＦＬＭ及び第１クロック信号ＣＬＫ１は第１レベルを有し、第２クロック信号ＣＬＫ２は第２レベルを有する。
【０１０７】
第１レベルを有する第１クロック信号ＣＬＫ１によって第１トランジスターＭ１及び第３トランジスターＭ３はターンオフされる。第１ノードＮ１の電圧は第１レベルを維持するので、第２トランジスターＭ２、第８トランジスターＭ８、及び第１０トランジスターＭ１０はターンオフされる。
【０１０８】
第２レベルを有する第２クロック信号ＣＬＫ２によって、第４トランジスターＭ４及び第７トランジスターＭ７がターンオンされる。また、第２ノードＭ２の電圧は第２レベルを有するので、第５トランジスターＭ５及び第６トランジスターＭ６はターンオンされる。
【０１０９】
先に説明したブートストラップのように、第２ノードＮ２の電位は第２キャパシターＣ２のカップリングによって、第２クロック信号ＣＬＫ２の電位変化量、ブートストラップ（Ｂｏｏｔ  Ｓｔｒａｐ）される。即ち、第２クロック信号ＣＬＫ２の第２レベル区間で第２ノードＮ２の電圧は第２レベルより低い第３レベルを有する。
【０１１０】
ターンオンされた第６及び第７トランジスターＭ６、Ｍ７を通じて第２レベルを有する第２クロック信号ＣＬＫ２が第３ノードＮ３へ提供される。したがって、第５時間Ｔ５で第３ノードＮ３の電圧は第２レベルを有する。第３ノードＮ３の電圧が第２レベルを有するので、第９トランジスターＭ９はターンオンされる。
【０１１１】
第９トランジスターＭ９がターンオンされ、第１０トランジスターＭ１０がターンオフされるので、第１発光制御信号は第１レベルを有する。
【０１１２】
第６時間Ｔ６で開始信号ＦＬＭ及び第１クロック信号ＣＬＫ１は第２レベルを有し、第２クロック信号ＣＬＫ２は第１レベルを有する。先に説明した第１時間Ｔ６の動作を参照すれば、第６時間Ｔ６で第１発光制御信号は第２レベルを有する。
【０１１３】
第１発光制御信号が第１レベルを有する区間は第３区間３Ｈとして定義され得る。第３区間３Ｈは第１区間Ｈ１の３倍の時間を有する区間として設定され得る。
【０１１４】
第１発光制御信号は第２ステージＳＴＧＡＥ２と第１発光制御ラインＥ１を通じて画素へ提供される。第２ステージＳＴＧＡＥ２は第１発光制御信号、第１クロック信号ＣＬＫ１、及び第２クロック信号ＣＬＫ２に応答して第２発光制御信号を生成する。
【０１１５】
第２発光制御信号は第１発光制御信号より第１区間１Ｈ、シフトされて出力される。即ち、ステージＳＴＡＧＥ１〜ＳＴＡＧＥｎから出力される発光制御信号は順次的に第１区間１Ｈ、シフトされて出力される。具体的に現在段のステージから出力される発光制御信号は前段のステージから出力される発光制御信号を第１区間１Ｈ、シフトした信号である。
【０１１６】
結果的に、本発明の第１実施形態による有機発光表示装置の発光制御駆動部１５０は第１電圧ＶＧＬ及び第２電圧ＶＧＨを受信し、開始信号ＦＬＭ、第１クロック信号ＣＬＫ１、及び第２クロック信号ＣＬＫ２に応答して発光制御信号を生成することができる。したがって、発光制御駆動部１５０の構成が簡易化されることができる。
【０１１７】
図６及び図７は本発明の第２実施形態による有機発光表示装置の発光制御駆動部のステージの詳細回路図である。
【０１１８】
図６には第１ステージＳＴＡＧＥ１及び第２ステージＳＴＡＧＥ２の回路図が図示され、図７には第ｎ−１ステージＳＴＡＧＥｎ−１及び第ｎステージＳＴＡＧＥｎが図示された。しかし、実質的に複数のステージＳＴＡＧＥ１〜ＳＴＡＧＥｎは同一の構成を有し、同様に動作する。図６及び図７に図示されたステージは両方向駆動部を含むことを除外すれば、図４に図示されたステージと同様に動作する。したがって、以下、図４に図示されたステージと異なる構成のみが説明される。
【０１１９】
図６及び図７を参照すれば、ステージＳＴＡＧＥ１〜ＳＴＡＧＥｎの各々の両方向駆動部１５４は第１方向制御信号ＢＩ＿ＣＴＬ及び第２方向制御信号ＢＩ＿ＣＴＬＢを受信する。各々の両方向駆動部１５４は第１方向制御信号ＢＩ＿ＣＴＬ及び第２方向制御信号ＢＩ＿ＣＴＬＢに応答して第１入力信号及び第２入力信号の中でいずれか１つを第１サブ制御信号として出力する。
【０１２０】
具体的に現在段のステージの両方向駆動部１５４は前段のステージから出力される発光制御信号を第１入力信号として受信し、次段のステージから出力される発光制御信号を第２入力信号として受信する。また、第１ステージＳＴＡＧＥ１の両方向駆動部１５４は第１入力信号として開始信号ＦＬＭを受信し、第ｎステージＳＴＡＧＥｎの両方向駆動部１５４は第２入力信号として開始信号ＦＬＭを受信する。
【０１２１】
例えば、第１ステージＳＴＡＧＥ１から出力される第１発光制御信号は前段のステージがないので、次段のステージである第２ステージＳＴＡＧＥ２へ提供される。第２ステージＳＴＡＧＥ１から出力される第２発光制御信号は次段のステージである第３ステージＳＴＡＧＥ３と前段のステージである第１ステージＳＴＡＧＥ１へ提供される。第ｎステージＳＴＡＧＥｎから出力される第ｎ発光制御信号は次段のステージがないので、前段のステージである第ｎ−１ステージＳＴＡＧＥｎ−１へ提供される。第ｎ−１ステージＳＴＡＧＥｎ−１から出力される第ｎ−１発光制御信号は次段のステージである第ｎステージＳＴＡＧＥｎと前段のステージである第ｎ−２ステージＳＴＡＧＥｎ−２へ提供される。
【０１２２】
両方向駆動部１５４は各々第１１トランジスターＭ１１及び第１２トランジスターＭ１２を含む。
【０１２３】
第１１トランジスターＭ１１のゲート端子は第１方向制御信号ＢＩ＿ＣＴＬを受信し、ソース端子は第１入力信号を受信する。第１２トランジスターＭ１２のゲート端子は第２方向制御信号ＢＩ＿ＣＴＬＢを受信し、ソース端子は第２入力信号を受信する。第１１及び第１２トランジスターＭ１１、Ｍ１２のドレーン端子は第１信号処理部１５１の第１トランジスターＭ１のソース端子に連結される。
【０１２４】
第１ステージＳＴＡＧＥ１の場合、第１ステージＳＴＡＧＥ１の両方向駆動部１５４の第１１トランジスターＭ１１のゲート端子は第１方向制御信号ＢＩ＿ＣＴＬを受信し、ソース端子は開始信号ＦＬＭを受信する。第１２トランジスターＭ１２のゲート端子は第２方向制御信号ＢＩ＿ＣＴＬＢを受信し、ソース端子は第２ステージＳＴＡＧＥ２から出力される第２発光制御信号を受信する。第１１及び第１２トランジスターＭ１１、Ｍ１２のドレーン端子は第１トランジスターＭ１のソース端子に連結される。
【０１２５】
第ｎステージＳＴＡＧＥｎの場合、第ｎステージＳＴＡＧＥｎの両方向駆動部１５４の第１１トランジスターＭ１１のゲート端子は第１方向制御信号ＢＩ＿ＣＴＬを受信し、ソース端子は第ｎ−１ステージＳＴＡＧＥｎ−１から出力される第ｎ−１発光制御信号を受信する。第１２トランジスターＭ１２のゲート端子は第２方向制御信号ＢＩ＿ＣＴＬＢを受信し、ソース端子は開始信号ＦＬＭを受信する。第１１及び第１２トランジスターＭ１１、Ｍ１２のドレーン端子は第１トランジスターＭ１のソース端子に連結される。
【０１２６】
その他のステージＳＴＡＧＥ２〜ＳＴＡＧＥｎ−１の各々の両方向駆動部１５４の第１１トランジスターＭ１１のゲート端子は第１方向制御信号ＢＩ＿ＣＴＬを受信し、ソース端子は前段のステージから出力される発光制御信号を受信する。第１２トランジスターＭ１１のゲート端子は第２方向制御信号ＢＩ＿ＣＴＬＢを受信し、ソース端子は次段のステージから出力される発光制御信号を受信する。第１１及び第１２トランジスターＭ１１、Ｍ１２のドレーン端子は第１トランジスターＭ１のソース端子に連結される。
【０１２７】
第１方向制御信号ＢＩ＿ＣＴＬと第２方向制御信号ＢＩ＿ＣＴＬＢは互に異なるレベルを有する。例えば第１方向制御信号ＢＩ＿ＣＴＬが第１レベル（又はハイレベル）を有する場合、第２方向制御信号ＢＩ＿ＣＴＬＢは第１レベルより低いレベルを有する第２レベル（又はローレベル）を有することができる。
【０１２８】
第１方向制御信号ＢＩ＿ＣＴＬが第２レベルである場合、ステージＳＴＡＧＥ１〜ＳＴＡＧＥｎの各々の両方向駆動部１５４の第１１トランジスターＭ１１はターンオンされ、第１２トランジスターＭ１２はターンオフされる。したがって、開始信号ＦＬＭは第１ステージＳＴＡＧＥ１の両方向駆動部１５４へ提供される。また、第１ステージＳＴＡＧＥ１から出力される第２発光制御信号は第２ステージＳＴＡＧＥ２へ提供される。即ち、第２実施形態による発光制御駆動部のステージＳＴＡＧＥ１〜ＳＴＡＧＥｎは図４に図示されたステージと同様に動作する。ステージＳＴＡＧＥ１〜ＳＴＡＧＥｎから出力される発光制御信号は第１発光制御信号から順次的に画素へ提供される。したがって、上部から下部方向に画素が駆動され得る。
【０１２９】
第２方向制御信号ＢＩ＿ＣＴＬＢが第２レベルである場合、ステージＳＴＡＧＥ１〜ＳＴＡＧＥｎの各々の両方向駆動部１５４の第１１トランジスターＭ１１はターンオフされ、第１２トランジスターＭ１２はターンオンされる。したがって、開始信号ＦＬＭは第ｎステージＳＴＡＧＥｎの両方向駆動部１５４へ提供される。また、第ｎステージＳＴＡＧＥｎから出力される第ｎ発光制御信号は第ｎ−１ステージＳＴＡＧＥｎ−１へ提供される。このような動作によって、ステージＳＴＡＧＥ１〜ＳＴＡＧＥｎから出力される発光制御信号は第ｎ発光制御信号から順次的に画素へ提供される。したがって、画素は下部から上部方向に駆動され得る。
【０１３０】
両方向に駆動されることができる本発明の第２実施形態による有機発光表示装置の発光制御駆動部は第１電圧ＶＧＬ及び第２電圧ＶＧＨを受信し、開始信号ＦＬＭ、第１クロック信号ＣＬＫ１、及び第２クロック信号ＣＬＫ２に応答して発光制御信号を生成することができる。したがって、発光制御駆動部の構成が簡易化される。
【０１３１】
図８は本発明の第３実施形態による有機発光表示装置の発光制御駆動部のステージの詳細回路図である。
【０１３２】
図８には発光制御駆動部の第１ステージＳＴＡＧＥ１及び第２ステージＳＴＡＧＥ２の回路図が図示された。しかし、実質的に発光制御駆動部の複数のステージＳＴＡＧＥ１〜ＳＴＡＧＥｎは同一の構成を有し、同様に動作する。したがって、以下、第１ステージＳＴＡＧＥ１の構成が詳細に説明され、その他のステージＳＴＡＧＥ２〜ＳＴＡＧＥｎの構成は簡略に説明される。
【０１３３】
図８に図示されたステージは第２信号処理部の構成が異なるを除外すれば、図６及び図７に図示されたステージと同様に動作する。したがって、以下、図６及び図７に図示されたステージと異なる構成のみが説明される。
【０１３４】
図８を参照すれば、ステージＳＴＡＧＥ１〜ＳＴＡＧＥｎの各々の両方向駆動部１５４は前段のステージから出力されるキャリー信号ＣＡを第１入力信号として受信し、次段のステージから出力されるキャリー信号ＣＡを第２入力信号として受信する。また第１ステージＳＴＡＧＥ１の両方向駆動部１５４は第１入力信号として開始信号ＦＬＭを受信し、第ｎステージＳＴＡＧＥｎの両方向駆動部１５４は第２入力信号として開始信号ＦＬＭを受信する。
【０１３５】
キャリー信号ＣＡはステージＳＴＡＧＥ１〜ＳＴＡＧＥｎの各々の第２信号処理部１５２から出力される。キャリー信号ＣＡを出力するためにステージＳＴＡＧＥ１〜ＳＴＡＧＥｎの各々の第２信号処理部１５２は第４乃至第７トランジスターＭ４〜Ｍ７、第１及び第２キャパシターＣ１、Ｃ２、及び第１３及び第１４トランジスターＭ１３、Ｍ１４を含む。第１キャパシターＣ１、第１３トランジスターＭ１３、及び第１４トランジスターＭ１４の連結構成を除外した第２信号処理部１５２の構成は図４に図示された第２信号処理部１５２の構成と実質的に同一である。したがって、以下、第１ステージＳＴＡＧＥ１の第２信号処理部１５２の第１キャパシターＣ１、第１３トランジスターＭ１３、及び第１４トランジスターＭ１４の連結構成が説明される。
【０１３６】
第１３トランジスターＭ１３のゲート端子は第５トランジスターＭ５のゲート及び第２ノードＮ２に連結され、ソース端子は第２電圧ＶＧＨを受信し、ドレーン端子は第４ノードＮ４に連結される。
【０１３７】
第１４トランジスターＭ１４のゲート端子は第４トランジスターＭ４のゲート端子に連結され、ソース端子は第４ノードＮ４に連結され、ドレーン端子は第２クロック信号ＣＬＫ２を受信する。
【０１３８】
第１キャパシターＣ１の第１電極は第４トランジスターＭ４のゲート端子及び第１４トランジスターＭ１４のゲート端子に連結され、第２電極は第４ノードＮ４に連結される。
【０１３９】
第４ノードＮ４から出力される信号はキャリー信号ＣＡとして定義され、次のステージである第２ステージＳＴＡＧＥ２の両方向駆動部１５４へ提供される。
【０１４０】
ステージＳＴＡＧＥ１〜ＳＴＡＧＥｎの各々のキャリー信号ＣＡは前段のステージ及び次段のステージの両方向駆動部１５４へ提供される。例えば、第１ステージＳＴＡＧＥ１から出力されるキャリー信号ＣＡは前段のステージが無いので、次段のステージである第２ステージＳＴＡＧＥ２の両方向駆動部１５４へ提供される。第２ステージＳＴＡＧＥ１から出力されるキャリー信号ＣＡは次段のステージである第３ステージＳＴＡＧＥ３と前段のステージである第１ステージＳＴＡＧＥ１の両方向駆動部１５４へ各々提供される。
【０１４１】
第ｎステージＳＴＡＧＥｎから出力されるキャリー信号ＣＡは次段のステージが無いので、前段のステージである第ｎ−１ステージＳＴＡＧＥｎ−１の両方向駆動部１５４へ提供される。第ｎ−１ステージＳＴＡＧＥｎ−１から出力されるキャリー信号ＣＡは次段のステージである第ｎステージＳＴＡＧＥｎと前段のステージである第ｎ−２ステージＳＴＡＧＥｎ−２の両方向駆動部１５４へ各々提供される。
【０１４２】
即ち、図８に図示されたステージは図６及び図７に図示されたステージのように発光制御信号を前段の及び次段のステージへ提供されなく、キャリー信号を前段の及び次段のステージへ提供する。したがって、ステージは発光制御信号ではないキャリー信号を利用して駆動され得る。
【０１４３】
第１３及び第１４トランジスターＭ１３、Ｍ１４の駆動にしたがう第１ステージＳＴＧＡＥ１のキャリー信号ＣＡの出力は以下、図９で詳細に説明される。また、第１ステージＳＴＡＧＥ１からキャリー信号ＣＡを受信して駆動される第２ステージＳＴＡＧＥの動作は以下、図１０で詳細に説明される。
【０１４４】
図９は図８に図示された第１ステージの動作を説明するためのタイミング図である。
【０１４５】
図面に図示せずが、第１方向制御信号ＢＩ＿ＣＴＬは第２レベルであり、第２方向制御信号ＢＴ＿ＣＴＬＢは第１レベルを有する。即ちステージＳＴＡＧＥ１〜ＳＴＡＧＥｎは上部から下部方向に駆動される。
【０１４６】
キャリー信号ＣＡとして出力される第４ノードＮ４の電圧が追加されたことを除外すれば、図９に図示された各信号の波形は図５に図示された信号の波形と同一である。即ち、図８に図示された第１ステージＳＴＡＧＥ１はキャリー信号ＣＡを出力する動作を除外すれば、図４に図示された第１ステージＳＴＡＧＥ１と実質的に同様に動作する。したがって、以下、第４ノードＮ４の電圧レベルの変化のみに対して説明する。
【０１４７】
第１ノードＮ１が第１レベルを有する区間Ｎ１＿Ｈを除外した区間で第１ノードＮ１は第２レベル及び第３レベルを有する。第１ノードＮ１が第２レベル及び第３レベルである場合、第１４トランジスターＭ１４はターンオンされる。即ち、第１ノードＮ１が第１レベルを有する区間Ｎ１＿Ｈを除外した区間で第２クロック信号ＣＬＫ２は第４ノードＮ４へ提供される。したがって、第４ノードＮ４は第１ノードＮ１が第１レベルを有する区間Ｎ１＿Ｈを除外した区間で第２クロック信号ＣＬＫ２と同一な波形を有する。
【０１４８】
第１ノードＮ１の電圧が第１レベルを有する場合、第１４トランジスターＭ１４はターンオフされる。第１ノードＮ１の電圧が第２レベルから第１レベルに変換される場合、第２ノードＮ２の電圧は第１レベルから第２レベルに変換される。第２ノードＮ２の電圧が第２レベルを有する場合、第１３トランジスターＭ１３はターンオンされる。ターンオンされた第１３トランジスターＭ１３を通じて第２電圧ＶＧＨが第４ノードＮ４へ提供される。したがって、第４ノードＮ４の電圧は第１レベルを有する。第１３トランジスターＭ１３がターンオンされる間に第４ノードＮ４の電圧は第１レベルを維持する。即ち、第２ノードＮ２の電圧が第２レベルを有する区間Ｎ２＿Ｌの間に第４ノードＮ４の電圧は第１レベルを維持する。
【０１４９】
第１４トランジスターＭ１４が無い場合、第２クロック信号ＣＬＫ２は第１キャパシターＣ１へ持続的に提供される。したがって、第１キャパシターＣ１は第１レベルと第２レベルの電圧を反復的に充電する。第１キャパシターＣ１が第１レベルと第２レベルの電圧を反復的に充電する場合、第１キャパシターＣ１のロードによって第２クロック信号ＣＬＫ２の遅延が発生できる。即ち、正常的な第２クロック信号ＣＬＫ２が第２信号処理部１５２へ提供されないことがあり得る。
【０１５０】
第１４トランジスターＭ１４は第１ノードＮ１の電圧が第１レベルを有する場合、ターンオフされる。第１４トランジスターＭ１４がターンオフされる間に第２クロック信号ＣＬＫ２は第３キャパシターＣ３の影響を受けないので、第２クロック信号ＣＬＫ２の信号遅延が防止され得る。
【０１５１】
第１３トランジスターＭ１３は第１４トランジスターＭ１４がオフされる場合、第４ノードＮ４を一定なレベルに維持させる。即ち、第１４トランジスターＭ１４がオフされる場合、第１３トランジスターＭ１３はターンオンされて第４ノードＮ４の電圧を第１レベルに維持させる。
【０１５２】
本発明の第３実施形態による有機発光表示装置の発光制御駆動部は開始信号ＦＬＭ、キャリー信号ＣＡ、第１クロック信号ＣＬＫ１、第２クロック信号ＣＬＫ２、及び第２電圧ＶＧＨのみを利用して発光制御信号を生成することができる。即ち、発光制御駆動部１５０には初期化させるための別の制御信号が要求されない。したがって、発光制御駆動部１５０の構成が簡易化される。
【０１５３】
図１０は図８に図示された第２ステージの動作を説明するためのタイミング図である。
【０１５４】
図１０を参照すれば、第１ステージＳＴＡＧＥ１の第４ノードＮ４の電圧レベルは第２ステージＳＴＡＧＥ２へキャリー信号ＣＡとして提供される。第１時間Ｔ１でキャリー信号ＣＡ及び第２クロック信号ＣＬＫ２は第２レベルを有し、第１クロック信号ＣＬＫ１は第１レベルを有する。
【０１５５】
第２レベルを有する第２クロック信号ＣＬＫ２は第１トランジスターＭ１のゲート及び第３トランジスターＭ３のゲートへ提供される。したがって、第１トランジスターＭ１及び第３トランジスターＭ３はターンオンされる。
【０１５６】
ターンオンされた第１トランジスターＭ１を通じて第２レベルを有するキャリー信号ＣＡは第２トランジスターＭ２のゲート及び第１ノードＮ１へ提供される。したがって、第２トランジスターＭ２はターンオンされ、第１ノードＮ１の電圧は第２レベルを有する。
【０１５７】
ターンオンされた第２トランジスターＭ２を通じて第２レベルを有する第２クロック信号ＣＬＫ２とターンオンされた第３トランジスターＭ３を通じて第１電圧ＶＧＬが第２ノードＮ２へ提供される。したがって、第２ノードＮ２の電圧は第２レベルを有する。
【０１５８】
第１レベルを有する第１クロック信号ＣＬＫ１は第４トランジスターＭ４及び第７トランジスターＭ７へ提供される。したがって、第４及び第７トランジスターＭ４、Ｍ７はターンオフされる。
【０１５９】
第１ノードＮ１が第２レベルを有するので、第８トランジスターＭ８はターンオンされる。ターンオンされた第８トランジスターＭ８を通じて第２電圧ＶＧＨが第３ノードＮ３へ提供される。したがって、第３ノードＮ３は第１レベルを有する。第３ノードＮ３は第１レベルを有するので、第９トランジスターＭ９はターンオフされる。
【０１６０】
第１ノードＮ１は第２レベルを有するので、第１０トランジスターＭ１０はターンオンされる。ターンオンされた第１０トランジスターＭ１０によって、第１電圧ＶＧＬが第１発光制御ラインＥ１へ提供される。したがって、第１発光制御信号は第２レベルを有する。
【０１６１】
第２時間Ｔ２でキャリー信号ＣＡ、第１クロック信号ＣＬＫ１、及び第２クロック信号ＣＬＫ２は第１レベルを有する。第１レベルを有する第２クロック信号ＣＬＫ２によって、第１トランジスターＭ１及び第３トランジスターＭ３はターンオフされる。
【０１６２】
第１ノードＮ１は第２レベルに維持されるので、第２トランジスターＭ２はターンオンされる。ターンオンされた第２トランジスターＭ２を通じて第１レベルを有する第１クロック信号ＣＬＫ１が第２ノードＮ２へ提供される。したがって、第２ノードＮ２の電圧は第１レベルを有する。
【０１６３】
第１ノードＮ１は第２レベルを有するので、第８トランジスターＭ８及び第１０トランジスターＭ１０はターンオンされる。したがって、ターンオンされた第８トランジスターＭ８を通じて第２電圧ＶＧＨが第３ノードＮ３へ提供されるので、第３ノードＮ３は第１レベルを維持する。
【０１６４】
第３ノードＮ３が第１レベルを有し、第１ノードＮ１が第２レベルを有するので、第９トランジスターＭ９はターンオフされ、第１０トランジスターＭ１０はターンオンされる。したがって、第１発光制御信号は第２レベルを維持する。
【０１６５】
第３時間Ｔ３で第１キャパシターＣ１のカップリングによって、第１ノードＮ１の電位が変化される動作は先に図５を参照して詳細に説明したので、説明を省略する。
【０１６６】
第４時間Ｔ４でキャリー信号ＣＡ及び第１クロック信号ＣＬＫ１は第１レベルを有し、第２クロック信号ＣＬＫ２は第２レベルを有する。
【０１６７】
第２レベルを有する第２クロック信号ＣＬＫ２によって、第１トランジスターＭ１はターンオンされ、第１レベルを有するキャリー信号ＣＡは第１ノードＮ１へ提供される。第１ノードＮ１の電圧は第１レベルを有する。第１ノードＮ１が第１レベルを有するので、第２トランジスターＭ２及び第１０トランジスターＭ１０はターンオフされる。
【０１６８】
第２レベルを有する第２クロック信号ＣＬＫ２によって、第３トランジスターＭ３はターンオンされ、第１電圧ＶＧＬは第２ノードＮ２へ提供される。したがって、第２ノードＮ２の電圧は第２レベルを有する。
【０１６９】
第１レベルを有する第１クロック信号ＣＬＫ１によって、第７トランジスターＭ７はターンオフされる。第１ノードＮ１の電圧は第１レベルを有するので、第８トランジスターＭ８はターンオフされる。第３ノードＮ３の電圧は第３キャパシターＣ３によって、第１レベルを維持する。第３ノードＮ３の電圧は第１レベルを維持されるので、第９トランジスターＭ９はターンオフされる。その結果、第１発光制御信号は第２レベルを維持する。
【０１７０】
第５時間Ｔ５でキャリー信号ＣＡ及び第２クロック信号ＣＬＫ２は第１レベルを有し、第１クロック信号ＣＬＫ１は第２レベルを有する。
【０１７１】
第１レベルを有する第２クロック信号ＣＬＫ２によって、第１トランジスターＭ１及び第３トランジスターＭ３はターンオフされる。第１ノードＮ１の電圧は第１レベルを維持されるので、第２トランジスターＭ２、第８トランジスターＭ８、及び第１０トランジスターＭ１０はターンオフされる。
【０１７２】
第２レベルを有する第１クロック信号ＣＬＫ１によって、第４トランジスターＭ４及び第７トランジスターＭ７がターンオンされる。また、第２ノードＮ２の電圧は第２レベルを有するので、第５トランジスターＭ５及び第６トランジスターＭ６はターンオンされる。
【０１７３】
ターンオンされた第６トランジスターＭ６及び第７トランジスターＭ７を通じて第２レベルを有する第２クロック信号ＣＬＫ２が第３ノードＮ３へ提供される。したがって、第５時間Ｔ５で第３ノードＮ３の電圧は第２レベルを有する。第３ノードＮ３の電圧が第２レベルを有するので、第９トランジスターＭ９はターンオンされる。第９トランジスターＭ９がターンオンされ、第１０トランジスターＭ１０がターンオフされるので、第１発光制御信号は第１レベルを有する。
【０１７４】
第６時間Ｔ６でキャリー信号ＣＡ及び第２クロック信号ＣＬＫ２は第２レベルを有し、第１クロック信号ＣＬＫ１は第１レベルを有する。先に説明した第１時間Ｔ１の動作を参照すれば、第６時間Ｔ６で第１発光制御信号は第２レベルを有する。
【０１７５】
このような動作によって、現在段のステージは第１クロック信号ＣＬＫ１、第２クロック信号ＣＬＫ２、及び前段のステージから提供されたキャリー信号ＣＡに応答して発光制御信号を生成する。また、ステージＳＴＡＧＥ１〜ＳＴＡＧＥｎから出力される発光制御信号は順次的に第１区間１Ｈ、シフトされて出力される。
【０１７６】
以上実施形態を参照して説明したが、該当技術分野の熟練された当業者は下記の特許請求の範囲に記載された本発明の思想及び領域から逸脱しない範囲内で本発明を多様に修正及び変更させ得ることを理解できる。また本発明に開示された実施形態は本発明の技術思想を限定するためのことではなく、下記の特許請求の範囲及びそれと同等な範囲内にある全ての技術思想は本発明の権利範囲に含まれることで解釈されなければならない。
【符号の説明】
【０１７７】
１００・・・有機発光表示装置
１１０・・・表示パネル
１２０・・・タイミングコントローラ
１３０・・・走査駆動部
１４０・・・データ駆動部
１５０・・・発光制御駆動部
１５１・・・第１信号処理部
１５２・・・第２信号処理部
１５３・・・第３信号処理部
１５４・・・両方向駆動部
【図１】
2014041337.tif 000003
【図２】
2014041337.tif 000004
【図３】
2014041337.tif 000005
【図４】
2014041337.tif 000006
【図５】
2014041337.tif 000007
【図６】
2014041337.tif 000008
【図７】
2014041337.tif 000009
【図８】
2014041337.tif 000010
【図９】
2014041337.tif 000011
【図１０】
2014041337.tif 000012